(57)【特許請求の範囲】
【請求項１】
腕を上げた状態での着用者の肩稜線上の僧帽筋停止部の位置が、頸囲後ろ中心点と肩先点との距離に対して、腕を下げた状態での着用者の肩稜線上の僧帽筋停止部から１１％〜１７％頸囲後ろ中心点側にあり、袖を付けるアームホールの袖山点が、腕を下げた状態での着用者の肩稜線上の僧帽筋停止部と、腕を上げた状態での着用者の肩稜線上の僧帽筋停止部との間に位置することを特徴とする上衣。
【請求項２】
腕を上げた状態での着用者の肩稜線上の僧帽筋停止部の位置が、頸囲後ろ中心点と肩先点との距離に対して、頸囲後ろ中心点から６２％〜６６％肩先点側にあり、袖を付けるアームホールの袖山点が、腕を下げた状態での着用者の肩稜線上の僧帽筋停止部と、腕を上げた状態での着用者の肩稜線上の僧帽筋停止部との間に位置することを特徴とする上衣。
【発明の詳細な説明】
【技術分野】
【０００１】
この発明は、袖のアームホールの形状を工夫することにより、スポーツのような激しい運動を行った場合でも、着くずれが少なく、快適な着用感を持った上衣に関するものである。
【背景技術】
【０００２】
従来、袖の形状を工夫することにより、着用感の向上を謳った上衣は、特許文献１や特許文献２に開示されている。【０００３】
しかしながら、これらの上衣は、スポーツのような激しい運動を行った場合、着くずれし易く、快適な着用感を持ったものとはいえない。【０００４】
スポーツ用のシャツ等に使用される従来の上衣１１は、前身頃１２、後身頃１３、袖１４とからなり、袖１４と前身頃１２、袖１４と後身頃１３とは、アームホール１５によって縫着されている。【０００５】
ところで、従来の上衣１１でスタンダードな形状の袖１４は、図４〜図６に示すセットインスリーブと、図７〜図９に示すラグランスリーブが挙げられる。【０００６】
特にセットインスリーブについては袖の原型とされており、もっとも多くのアイテムに採用されている。【０００７】
セットインスリーブは、図４〜図６に示すように、袖山点１６が肩先点Ｓを通るようにアームホール１５を設計したものである。【０００８】
このセットインスリーブの特徴は、次の通りである。
１）腕を自然に下した状態で最も着心地よく設計されている。
２）構造が単純で、あらゆるデザインに対応しやすい。【０００９】
次に、ラグランスリーブについては、図７〜図９に示すように、セットインスリーブからの展開で、機能性を向上したタイプである。【００１０】
ラグランスリーブは、図７〜図９に示すように、前身頃１２側のアームホール１５が前腋点Ｆと頸囲側点Ｎ２の前側とを結び、後身頃１３側のアームホール１５が後腋点Ｈと頸囲側点Ｎ２の後側とを結ぶように設計したものであり、袖山の肩先部分に丸みが付けられている。【００１１】
このラグランスリーブは、特に肩回りに切り替えを施したくない場合に用いられ、その特徴としては、次の通りである。【００１２】
１）人体の肩先の丸みに沿わせつつ、袖口はあまり下げないことによって着心地と運動性を考慮している。
２）アームホールが広く、腕を通しやすい。
３）縫製線が肩回りにないので、縫代が皮膚に接触しにくい。【００１３】
また、自転車競技等の選手が着用する自転車用ウエアとして、自転車に乗車した姿勢においても余分なしわをほとんど生じさせず、シャツの突っ張り感、ひきつれ感等の身体に与えるストレスを軽減させるために、図１０及び図１１に示すように、アームホールを特殊な形状にしたものもある（特許文献３）。
【先行技術文献】
【特許文献】
【００１４】
【特許文献１】特開２００３−１２９３１６号公報
【特許文献２】実用新案登録第３０６４８５８号公報
【特許文献３】意匠登録第１４３０３７４号公報
【発明の概要】
【発明が解決しようとする課題】
【００１５】
スポーツのような激しい運動を行う際に着用するシャツ等の上衣１１は、腕を上げたり、腕を回したりした時に、体幹部Ｂよりも腕Ａの方が、変位が大きいことから、変位の大きい腕Ａを覆う袖１４には、動作時に袖１４が下垂せず、腕上部との接触による引きつれを減少させる機能（上方保持性）が必要である。また、変位が小さい体幹部Ａを覆う身頃には、動作時に身頃が内外・前後にずれることによる引きつれを減少させる機能（位置安定性）が必要である。【００１６】
腕上げ時の肩上部の形状変化を測定したところ、図４〜図６に示すように、肩外転時、腕Ａと体幹部Ｂは、僧帽筋停止部付近で屈曲する。そして、腕屈曲点である僧帽筋停止部ｂ１、ｂ２、ｂ３は、肩外転に伴い、頸囲側点Ｎ２方向に移動する。頸囲側点Ｎ２から僧帽筋停止部ｂ１、ｂ２、ｂ３までの距離は、平均的な成人男性の場合、腕を下げた状態の僧帽筋停止部ｂ１から頸囲側点Ｎ２までの距離が７５ｍｍ、図４に一点鎖線で示す腕Ａを９０°の角度に上げた状態で僧帽筋停止部ｂ２から頸囲側点Ｎ２までの距離が６０ｍｍ、図４に破線で示す腕Ａを１５０°の角度に上げた状態で僧帽筋停止部ｂ３から頸囲側点Ｎ２までの距離が４５ｍｍというように、腕Ａを下げた状態から腕Ａを上げていくと、僧帽筋停止部ｂ１、ｂ２、ｂ３は、頸囲側点Ｎ２の方向に移動する。【００１７】
ところが、従来のセットインスリーブやラグランスリーブは、腕Ａを上げたり、腕Ａを回したりした時の腕屈曲点、すなわち、僧帽筋停止部ｂ１、ｂ２、ｂ３の位置を考慮することなく設計されている。【００１８】
例えば、セットインスリーブのアームホール１５は、図４〜図６に示すように、腕Ａを自然に下ろした時の肩先点Ｓから、腕Ａの形状に合せて設計されている。すなわち、人体の静体位に適合性の基準を置いているので、腕上げ時に袖が下垂し、腕上部との接触により引きつれが発生するという点で、袖の上方保持性が考慮されていない。【００１９】
また、セットインスリーブは、図６に示すように、変位の小さい体幹部Ｂと変位の大きい腕Ａの境界線（薄墨で示す領域）より外側にアームホール１５があるので、腕Ａを回す動作を行った場合、身頃が変位の大きい腕Ａと接触することによって、身頃が体幹部Ｂにフィットせず、本来動かしたくない身頃までも動いてしまう。【００２０】
一方、ラグランスリーブは、着心地を考慮して人体の肩先の丸みにある程度沿うように設計されている。したがって、袖口がセットインスリーブほどではないが下を向いてしまうので、腕上げ時に袖が下垂し、腕上部との接触により引きつれが発生するという点で、袖の上方保持性が考慮されていない。【００２１】
また、ラグランスリーブは、図７〜図９に示すように、変位の小さい体幹部Ｂと変位の大きい腕Ａの境界にまたがってアームホール１５があるので、腕Ａを回す動作を行った場合、袖１４が変位の大きい腕Ａと接触することによって、身頃が体幹部Ｂにフィットせず、本来動かしたくない身頃までも動いてしまう。【００２２】
また、特許文献３の自転車用のウエア（ゴールドウインの商品、カッティングデザイン「ＡＥＲＯ  ＦＯＲＭ」を採用）は、静的な動き（姿勢保持）を考慮して、自転車に乗車した姿勢において、余分なしわをほとんど生じさせず、シャツの突っ張り感、ひきつれ感等を防止するようにしたものであり、腕を上げたり、回したりした場合には、袖が下垂したり、身頃が不必要に大きく動いたりする。【００２３】
その原因としては、やはり特許文献３の自転車用のウエアも、図１０及び図１１に示すように、一般的なセットインスリーブと同様に、袖山点１６が、腕を下ろした状態での僧帽筋停止部ｂ１よりも外側に位置するものであるから、動的な動き（腕を上げたり、回したりする動作）を行った場合に、腕の動きに袖１４が追随し難く、本来動かしたくない身頃までも動いてしまうという問題がある。【００２４】
そこで、この発明は、スポーツのような激しい運動、特に、腕を上げたり、腕を回したりした時に、袖が下垂したり、身頃が不必要に大きく動いたりすることを防止し、着くずれが少なく、快適な着用感を持った上衣を提供することを課題とする。
【課題を解決するための手段】
【００２５】
この発明の上衣は、アームホールの袖山点が、腕を下げた状態での着用者の肩稜線上の僧帽筋停止部と、腕を上げた状態での着用者の肩稜線上の僧帽筋停止部との間に位置することを特徴とする。【００２６】
腕を下げた状態から上げると、肩稜線上の僧帽筋停止部の位置は、頸囲側点の方向に移動する。【００２７】
したがって、アームホールの袖山点を、腕を下げた状態での着用者の肩稜線上の僧帽筋停止部と、腕を上げた状態での着用者の肩稜線上の僧帽筋停止部との間に位置させると、腕上げ時の腕屈曲点とアームホールが一致するため、腕を上げたり、腕を回したりした時に、袖が下垂したり、身頃が不必要に大きく動いたりすることを防止できる。【００２８】
さらに、アームホールの前身頃側を、着用者の三角筋と大胸筋の間の三角筋大胸筋溝を通るようにすると、変位の大きい腕部と変位の少ない体幹部との境界にアームホールが位置するので、袖の上方保持性及び身頃の位置安定性がさらに良好になる。【００２９】
アームホールの前身頃側の下部を、着用者の前腋点を通し、また、アームホールの後身頃側を、着用者の肩甲棘隆出部を通し、さらに、アームホールの後身頃側の下部を、着用者の後腋点を通すことにより、変位の大きい腕と変位の少ない体幹部との境界に、アームホールが沿うので、袖の上方保持性及び身頃の位置安定性がより良好となる。【００３０】
また、アームホールの前身頃側を、着用者の三角筋と大胸筋の間の三角筋大胸筋溝の凹みに沿うように凹ませることにより、より着用感を向上させることができる。
【発明の効果】
【００３１】
この発明に係る上衣は、腕上げ時の腕屈曲点とアームホールが一致するため、スポーツのような激しい運動を行った場合でも、着くずれが少なく、快適な着用感を得ることができる。
【図面の簡単な説明】
【００３２】
【図１】この発明に係る上衣を骨格図と共に示す正面図である。
【図２】この発明に係る上衣を骨格図と共に示す背面図である。
【図３】この発明に係る上衣の部分平面図である。
【図４】セットインスリーブ構造の従来の上衣を骨格図と共に示す正面図である。
【図５】セットインスリーブ構造の従来の上衣を骨格図と共に示す背面図である。
【図６】セットインスリーブ構造の従来の上衣の部分平面図である。
【図７】ラグランスリーブ構造の従来の上衣を骨格図と共に示す正面図である。
【図８】ラグランスリーブ構造の従来の上衣を骨格図と共に示す背面図である。
【図９】ラグランスリーブ構造の従来の上衣の部分平面図である。
【図１０】従来の自転車用のウエアを骨格図と共に示す正面図である。
【図１１】従来の自転車用のウエアを骨格図と共に示す背面図である。
【発明を実施するための形態】
【００３３】
この発明に係る上衣１は、前身頃２、後身頃３、袖４とからなり、袖４と前身頃２、袖４と後身頃３とは、アームホール５によって縫着されている。
【００３４】
この発明に係る上衣１のアームホール５の袖山点６は、腕Ａを下げた状態での着用者の肩稜線Ｌ上の僧帽筋停止部ｂ１と、腕Ａを上げた状態（図１及び図２に破線で示す）での着用者の肩稜線Ｌ上の僧帽筋停止部ｂ３との間に位置する。
【００３５】
腕Ａを下げた状態から上げると、図１及び図２に示すように、肩稜線Ｌ上の僧帽筋停止部ｂ１の位置は、頸囲側点Ｎ２の方向に向かって、ｂ２、ｂ３に移動する。
【００３６】
図２において、Ｃは僧帽筋を示している。また、図１において、Ｄは大胸筋、Ｅは三角筋を示しており、三角筋Ｅと大胸筋Ｄの間の三角筋大胸筋溝は、ハッチングで示している。図１〜図３において、Ｓは肩先点、Ｎ１は頸囲後ろ中心点を示している。
【００３７】
平均的な成人男性の場合、頸囲側点Ｎ２から僧帽筋停止部ｂ１、ｂ２、ｂ３までの距離は、腕を下げた状態の僧帽筋停止部ｂ１が７５ｍｍ、腕Ａを９０°の角度に上げた状態の僧帽筋停止部ｂ２が６０ｍｍ、１５０°の角度に上げた状態の僧帽筋停止部ｂ３が４５ｍｍであり、腕Ａを下げた状態から腕Ａを上げていくと、僧帽筋停止部ｂ１、ｂ２、ｂ３は、頸囲側点Ｎ２の方向に移動する。
【００３８】
したがって、平均的な成人男性が着用する上衣１の場合、肩先点Ｓから頸囲側点Ｎ２の方向に向かって４５ｍｍ〜７５ｍｍの範囲に、アームホール５の袖山点６が位置するように、ゆとりを見て設計を行う。
【００３９】
このように、アームホール５の袖山点６を、腕Ａを下げた状態での着用者の肩稜線Ｌ上の僧帽筋停止部ｂ１と、腕Ａを上げた状態での着用者の肩稜線Ｌ上の僧帽筋停止部ｂ３との間に位置させることにより、腕上げ時の腕屈曲点とアームホール５が一致するため、腕Ａを上げたり、腕Ａを回したりした時に、袖４が下垂したり、前身頃２と後身頃３が不必要に大きく動いたりすることを防止できる。
【００４０】
そして、アームホール５の前身頃２側を、着用者の三角筋Ｅと大胸筋Ｄの間の三角筋大胸筋溝を通るようにすると、変位の大きい腕Ａと変位の少ない体幹部Ｂとの境界にアームホール５が位置するので、袖の上方安定性及び身頃の位置安定性が良好となる。
【００４１】
アームホール５の前身頃２側の下部を、着用者の前腋点Ｆを通し、また、アームホール５の後身頃３側を、着用者の肩甲棘隆出部Ｇを通し、さらに、アームホール５の後身頃３側の下部を、着用者の後腋点Ｈを通すことにより、変位の大きい腕Ａと変位の少ない体幹部Ｂとの境界に、アームホール５が位置するので、袖の上方保持性及び身頃の位置安定性がより向上する。
【００４２】
また、アームホール５の前身頃２側を、図３の矢印Ｉで示すように、着用者の三角筋Ｅと大胸筋Ｄの間の三角筋大胸筋溝の凹みに沿うように凹ませることにより、より着用感が向上する。
【００４３】
図２において、腕Ａを上げた状態での着用者の肩稜線Ｌ上の僧帽筋停止部ｂ３の位置は、頸囲後ろ中心点Ｎ１と肩先点Ｓとの距離（肩幅の半分）に対して、腕Ａを下げた状態での着用者の肩稜線Ｌ上の僧帽筋停止部ｂ１から１１％〜１７％頸囲後ろ中心点Ｎ１側になる。
【００４４】
また、腕Ａを上げた状態での着用者の肩稜線Ｌ上の僧帽筋停止部ｂ３の位置は、頸囲後ろ中心点Ｎ１と肩先点Ｓとの距離（肩幅の半分）に対して、頸囲後ろ中心点Ｎ１から６２％〜６６％肩先点Ｓ側になる。
【００４５】
したがって、この発明に係る上衣１のアームホール５の袖山点６は、腕Ａを下げた状態での着用者の肩稜線Ｌ上の僧帽筋停止部ｂ１から１１％〜１７％頸囲後ろ中心点Ｎ１側に位置する。
【００４６】
また、この発明に係る上衣１のアームホール５の袖山点６を位置決めするための腕Ａを上げた状態での着用者の肩稜線Ｌ上の僧帽筋停止部ｂ３の位置を、頸囲後ろ中心点Ｎ１と肩先点Ｓとの距離（肩幅の半分）に対して、頸囲後ろ中心点Ｎ１から６２％〜６６％肩先点Ｓ側に決めてもよい。
【００４７】
次に、表１は、成人男子１０名（平均身長１７０．６cm）を被験者とした僧帽筋停止部の位置等に関する測定結果を示している。ここで、各パラメータの平均値と標準偏差を算出し、「『平均値−標準偏差』〜『平均値＋標準偏差』」を各パラメータの範囲とした。
【００４８】
【表１】
0005519860.tif 000002
【００４９】
表1において、被験者Ａ〜Ｊは、１０名の成人男性であり、平均身長は１７０．６ｃｍである。
【００５０】
表１において、肩幅の半分とは、頸囲後ろ中心点Ｎ１と肩先点Ｓとの距離、ｂ１は、腕を下ろした状態での頸囲後ろ中心点Ｎ１から僧帽筋停止部までの距離（ｍｍ）、ｂ３は、腕を１５０°上げた状態での頸囲後ろ中心点Ｎ１から僧帽筋停止部までの距離（ｍｍ）、ＢＰ移動量とは、腕を下ろした状態でのｂ１から腕を１５０°上げた状態でのｂ３までの僧帽筋停止部の内側（頸囲後ろ中心点Ｎ１）への移動距離（ｍｍ）、ｂ３移動比とは、肩幅の半分に対するｂ３の位置の比率（％）＝［ｂ３の位置／肩幅の半分］×１００、ＢＰ移動比とは、肩幅の半分に対するＢＰ移動量の比率（％）＝［ＢＰ移動量／肩幅の半分］×１００をいう。
【００５１】
上記表１の通り、「ＢＰ移動量」とは、腕を下ろした状態から１５０°上げた際の、「僧帽筋停止部ｂ１、ｂ２、ｂ３」の頸囲後ろ中心点Ｎ１側への移動距離である。このことから、袖山点６を、腕Ａを上げた状態での着用者の肩稜線Ｌ上の僧帽筋停止部ｂ３が、頸囲後ろ中心点Ｎ１と肩先点Ｓとの距離に対して、腕Ａを下げた状態での着用者の肩稜線Ｌ上の僧帽筋停止部ｂ１から１１％〜１７％頸囲後ろ中心点Ｎ１側になるように設定することにより、腕上げ時の腕屈曲点とアームホールを一致させることができる。
【００５２】
また、表１から、「ｂ３位置比」（「肩幅の半分」に対する「ｂ３の位置」の比率）は、６２％〜６６％となる。ここで、ｂ３の位置とは、腕を１５０°上げた状態での「頸囲後ろ中心点Ｎ１」と「僧帽筋停止部」との距離をいう。このことから、袖山点６を、腕Ａを上げた状態での着用者の肩稜線Ｌ上の僧帽筋停止部ｂ３が、頸囲後ろ中心点Ｎ１と肩先点Ｓとの距離に対して、頸囲後ろ中心点Ｎ１から６２％〜６６％肩先点Ｓ側になるように設定することによっても、腕上げ時の腕屈曲点とアームホールを一致させることができる。
【００５３】
なお、表１には、成人男子を被験者とした測定結果を示しているが、「ＢＰ移動比」、「ｂ３位置比」ともに、成人男子以外でも同様の比率になると考えられる。
【符号の説明】
【００５４】
１  上衣
２  前身頃
３  後身頃
４  袖
５  アームホール
６  袖山点
Ａ  腕
Ｂ  体幹部
Ｃ  僧帽筋
Ｄ  大胸筋
Ｅ  三角筋
Ｆ  前腋点
Ｇ  肩甲棘隆出部
Ｈ  後腋点
Ｉ  凹み
ｂ１、ｂ２、ｂ３  僧帽筋停止部
Ｎ１  頸囲後ろ中心点
Ｎ２  頸囲側点
Ｌ  肩稜線
Ｓ  肩先点
【要約】
スポーツのような激しい運動、特に、腕を上げたり、腕を回したりした時に、袖が下垂したり、身頃が不必要に大きく動いたりすることを防止し、着くずれが少なく、快適な着用感を持った上衣を提供することを課題とする。アームホール５の袖山点６を、腕Ａを下げた状態での着用者の肩稜線Ｌ上の僧帽筋停止部ｂ１と、腕Ａを上げた状態での着用者の肩稜線Ｌ上の僧帽筋停止部ｂ３との間に位置させることにより、腕上げ時の腕屈曲点とアームホール５を一致させ、腕Ａを上げたり、腕Ａを回したりした時に、袖４が下垂したり、身頃が不必要に大きく動いたりすることを防止した。さらに、アームホール５の前身頃２側を、着用者の三角筋Ｅと大胸筋Ｄの間の三角筋大胸筋溝を通すことにより、袖の上方保持性及び身頃の位置安定性をさらに向上させた。【図１】
0005519860.tif 000003
【図２】
0005519860.tif 000004
【図３】
0005519860.tif 000005
【図４】
0005519860.tif 000006
【図５】
0005519860.tif 000007
【図６】
0005519860.tif 000008
【図７】
0005519860.tif 000009
【図８】
0005519860.tif 000010
【図９】
0005519860.tif 000011
【図１０】
0005519860.tif 000012
【図１１】
0005519860.tif 000013